(57)【要約】【課題】  自然光に近い偏りのない分光分布曲線の出射光が得られる室内照明灯を提供し、演色性の向上を図る。【解決手段】  車両の内装材に設けられた開口２５に取付可能なハウジング２７にレンズ２９が固定された意匠部３１と、この意匠部３１に支持されることにより内装材２３の裏面側に配置され、かつ、光源３３を備える機能部３５とを具備した室内照明灯２１であって、光源３３を、所定の色度で発光するフィラメントと、フィラメントを覆い該フィラメントからの光を透過させる保護部材とで構成し、かつ、保護部材とレンズ２９とを同色で構成した。【選択図】図１
2005238966.tif 000002
【特許請求の範囲】
【請求項１】
車両の内装材に設けられた開口に取付可能なハウジングにレンズが固定された意匠部と、
該意匠部に支持されることにより前記内装材の裏面側に配置され、かつ、光源を備える機能部とを具備した室内照明灯であって、
前記光源が、所定の色度で発光するフィラメントと、該フィラメントを覆い該フィラメントからの光を透過させる保護部材とからなり、
該保護部材と前記レンズとが同色であることを特徴とする室内照明灯。
【請求項２】
車両の内装材に設けられた開口に取付可能なハウジングにレンズが固定された意匠部と、
該意匠部に支持されることにより前記内装材の裏面側に配置され、かつ、光源を備える機能部とを具備した室内照明灯であって、
前記光源が、所定の色度で発光するフィラメントと、該フィラメントを覆い該フィラメントからの光を透過させる保護部材とからなり、
該保護部材と前記レンズとが色濃度の異なる同色系であり、かつ、前記保護部材の色濃度が前記レンズの色濃度より高いことを特徴とする室内照明灯。
【発明の詳細な説明】
【技術分野】
【０００１】
本発明は、室内照明灯に関し、さらに詳しくは、出射光の演色性を向上させる改良技術に関する。
【背景技術】
【０００２】
車両には、逆光を遮るためのサンバイザが設けられているのが普通である。図４に示すように、このようなサンバイザ１の中には、バックミラーとは別に小型の化粧用ミラー（バニティミラー３）が設けられている場合がある。
【０００３】
このようにサンバイザ１にバニティミラー３が設けられている場合、夜間でもバニティミラー３を使用できるようにするため、図５に示すように、天井のフロントガラス寄りに室内照明灯５が設けられている場合がある。この室内照明灯５は、天井のほぼ中央に設けられているドームランプとは別個に設けられ、光源にフィラメントを採用したバルブ（電球）の用いられることが多い。
【０００４】
また、この室内照明灯５は、図６に示すように、サンバイザ１を天井側に折りたたんだときに、サンバイザ１によって隠される位置に設けられている。この室内照明灯５は、バニティミラー３を使用するときだけに用いるので、ドームミラーに比べて非常に小型である。
【０００５】
さらに、サンバイザ１のバニティミラー３には、スライドさせて開閉する図７に示すカバー７が設けられている場合がある。また、カバー７を開けたときに室内照明灯５が点灯するように構成されている場合がある。
【０００６】
また、近年では、図８に示すように、バニティミラー３の近傍に室内照明灯５を付設し、カバー９を設けたサンバイザ１１も普及しており、特に、付加価値を高めた高級車種や、構造上ルームランプの設けられないコンバーティブルタイプの乗用車などに多用される傾向にある。
【０００７】
【特許文献１】特開２００２−６７７８９号公報
【特許文献２】特開２００２−２１８６３５号公報
【特許文献３】特開２００２−３４５１４３号公報
【特許文献４】特開平８−１３２８７３号公報
【発明の開示】
【発明が解決しようとする課題】
【０００８】
しかしながら、光源にフィラメントを採用した室内照明灯からの出射光は、可視光波長領域で波長ごとの成分に偏りの生じることが多い。図９は自然光とフィラメント光源からの出射光との分光分布図である。同図は光を波長成分に分け、波長ごとにその成分の量を並べたときの曲線で分光波長成分の分布を表している。同図からも分るように、フィラメント光源からの出射光１３は、自然光１５に比べ、短波長領域の成分が少ない一方、長波長領域の成分が多く、光エネルギーが一様に含まれている自然光よりも物の見え方が不自然となる（すなわち、演色性が劣る）問題があった。したがって、室内照明灯を点灯すると、物が赤みを帯びて見え、特に青色の物が自然に見え難くなった。この結果、例えば、化粧が自然光下の場合と同様に行えない等の弊害が生じた。
本発明は上記状況に鑑みてなされたもので、自然光に近い偏りのない分光分布曲線の出射光が得られる室内照明灯を提供し、もって、演色性の向上を図ることを目的とする。
【課題を解決するための手段】
【０００９】
１）上記目的を達成するための室内照明灯は、車両の内装材に設けられた開口に取付可能なハウジングにレンズが固定された意匠部と、該意匠部に支持されることにより前記内装材の裏面側に配置され、かつ、光源を備える機能部とを具備した室内照明灯であって、前記光源が、所定の色度で発光するフィラメントと、該フィラメントを覆い該フィラメントからの光を透過させる保護部材とからなり、該保護部材と前記レンズとが同色であることを特徴とする。
【００１０】
この室内照明灯では、保護部材とレンズが特定の波長分布を持った光を選択的に透過又は反射させることになる。
したがって、保護部材及びレンズの色度を、所望の色度（例えば自然光）に対するフィラメントの色度と補色関係の色度とすることにより、レンズから出射される光が所望の色度に色補正可能となる。また、同色が重ねられることにより、高濃度の透過色が得られる。
【００１１】
２）また、本発明の室内照明灯は、車両の内装材に設けられた開口に取付可能なハウジングにレンズが固定された意匠部と、該意匠部に支持されることにより前記内装材の裏面側に配置され、かつ、光源を備える機能部とを具備した室内照明灯であって、前記光源が、所定の色度で発光するフィラメントと、該フィラメントを覆い該フィラメントからの光を透過させる保護部材とからなり、該保護部材と前記レンズとが色濃度の異なる同色系であり、かつ、前記保護部材の色濃度が前記レンズの色濃度より高いことを特徴とする。
【００１２】
この室内照明灯では、保護部材とレンズが特定の波長分布を持った光を選択的に透過又は反射させることになる。
したがって、保護部材及びレンズの色度を、所望の色度（例えば自然光）に対するフィラメントの色度と補色関係の色度とすることにより、レンズから出射される光が所望の色度に色補正可能となる。また、保護部材の色濃度がレンズの色濃度より高いことから、色むらの目立ち易い濃い色濃度の保護部材が、色むらの目立ち難い薄い色濃度のレンズに覆われ、車室側からの見栄えが良好となる。
【発明の効果】
【００１３】
本発明に係る室内照明灯によれば、光源が、所定の色度で発光するフィラメントと、このフィラメントを覆いフィラメントからの光を透過させる保護部材とからなり、保護部材とレンズとが同色であるので、保護部材とレンズが特定の波長分布を持った光を選択的に透過又は反射させるよう機能し、保護部材及びレンズの色度を、所望の色度（例えば自然光）に対するフィラメントの色度と補色関係の色度とすることにより、レンズから出射される光を、所望の色度に色補正することが可能となる。また、同色を重ねることにより、高濃度の透過色を得ることができる。この結果、演色性が向上して、自然光下と同様の色表現が可能となり、例えば、室内照明灯での化粧が自然に行えるようになる。
【発明を実施するための最良の形態】
【００１４】
以下、本発明に係る室内照明灯の好適な実施の形態を図面を参照して説明する。
図１は本発明に係る室内照明灯の断面図、図２は図１に示した室内照明灯の要部拡大図である。
本発明に係る実施形態の室内照明灯２１は、車両の天井トリム（内装材）２３に設けられた開口２５に取付可能なハウジング２７にレンズ２９が固定された意匠部３１と、この意匠部３１に支持されることにより天井トリム２３の裏面２３ａ側に配置され、かつ、光源であるバルブ（電球）３３を備える機能部３５とを有している。
また、意匠部３１のハウジング２７には、クリップ３７が設けられている。機能部本体３９には、フラット電線４１を接続する圧接刃（図示せず）が設けられている。
【００１５】
この室内照明灯２１は、車両の天井トリム２３に取り付けられ、一方の側端部を中心として回転することにより開閉自在な図６に示したサンバイザ１によって隠れる位置に配置される。室内照明灯２１を点灯する場合は、サンバイザ１をフロントガラス側に開く。
次に、サンバイザ１の天井トリム２３側の面に設けられた図７に示したカバー７を開く。そうすると、サンバイザ１に設けられている図４に示すバニティミラー３が露出される。これと同時に、室内照明灯２１が点灯され、バニティミラー３に映る画面を明瞭に見ることができるようになっている。
【００１６】
ところで、バルブ３３は、図２に示すように、フィラメント４３と、このフィラメント４３を覆いフィラメント４３からの光Ｌ１を透過させる保護部材４５とからなる。
フィラメント４３の発光により得られる所定の色度は、図９に示したように、自然光１５に比べ、短波長領域の成分が少ない一方、長波長領域の成分が多く、光エネルギーが一様に含まれている自然光よりも物の見え方が不自然となる（すなわち、演色性が劣る。具体的には、物が赤みを帯びて見え、特に青色の物が自然に見え難くなる）。
【００１７】
図３はフィラメント光の色度を表す色度図である。
色は、色相、彩度、明度の３要素によって定めることができる。ここで、色相は、色と同じ色感を起こすスペクトル単色光の波長で表される。彩度は、白・灰・黒色の混ざっている度合いで表される。明度は、眼に感じる光の強弱を示す量で表される。そして、色度は、明度を除いた光の色（すなわち、色相と彩度）の種別を数量的に規定したものとなっている。図３において、ｘはＲの割合を、ｙはＧの割合を示す。図には示していないが、ｚをＢの割合としたとき、常にｘ＋ｙ＋ｚ＝１の関係があるとしている。
【００１８】
図３において、ＷはＲ、Ｇ、Ｂの成分比が１：１；１である白色の色度の点を示し、この場合、座標は略ｘ＝０．３３、ｙ＝０．３３、（ｚ＝０．３３）となる。図に示すＷに近い領域ｆ０は実用上白色とみなされる領域となる。
また、領域ｆ０から左側に外れた領域ｆ１は青又はＣ（シアン）系の中間色であり、右側に外れた領域ｆ２は赤又はＹ（イエロー）系の中間色であり、上側に外れた領域ｆ３は緑系の中間色であり、下側に外れたｆ４はＭ（マゼンタ）系の中間色となる。フィラメント４３の色度は、赤又はＹ（イエロー）系の中間色である領域ｆ２の範囲に分布する。
【００１９】
本実施の形態では、保護部材４５とレンズ２９とが同色（同色度）となっている。これら保護部材４５及びレンズ２９の色度は、所望の色度（自然光）に対するフィラメント４３の色度（領域ｆ２の色度）と補色関係の色度（領域ｆ１の色度）とされている。
つまり、保護部材４５及びレンズ２９は、領域ｆ１の色度である青又はＣ（シアン）系の中間色のいずれかの同色で着色されている。この着色は、保護部材４５の表面に、インク層４７を塗布により形成することができる。また、ガラス或いは透明な合成樹脂材に、着色剤を加えて形成してもよい。本実施の形態では、保護部材４５は前者により、レンズ２９は後者によって実質同色となっている。
したがって、本明細書中、着色方法の差異により生じる色度のずれは実質同色とみなしている。勿論、保護部材４５及びレンズ２９の着色方法は、共に同一の着色方法（インク層４７の塗布又は着色剤の添加）であってもよいことは言うまでもない。
【００２０】
室内照明灯２１では、バルブ３３のフィラメント４３が発光すると、その発光Ｌ１は、透明な保護部材４５、インク層４７、レンズ２９を透過することで、本来のフィラメント４３とは色度の異なる波長成分の光に変換され、外部に照明光Ｌとして出射されることとなる。
これにより、例えば要求される照明光Ｌの色度が白色であり、フィラメント４３の光の色度が白色からかなりずれた中間色の色度であっても、インク層４７、レンズ２９の波長特性を適切に設定することにより、白色又は略白色の照明光Ｌを出射することができる。
【００２１】
なお、上記の例では、保護部材４５とレンズ２９とが同色である場合を例に説明したが、保護部材４５及びレンズ２９は、色濃度の異なる同色系であってもよい。さらにこの場合、保護部材４５の色濃度は、レンズ２９の色濃度より高いことが好ましい。
ここで、同色系とは、同色の光波長フィルタを任意の数重ねて得られる透過色の範囲とすることができる。光波長フィルターの重ね合わせは減法混色であり、同色を重ねることにより、同色系で異なる色濃度の色度が得られる。
この変形例のように、保護部材４５の色濃度を、レンズ２９の色濃度より高く設定すれば、色むらの目立ち易い濃い色濃度の保護部材４５が、色むらの目立ち難い薄い色濃度のレンズ２９によって覆われ、車室側からの見栄えが良好となる。
【００２２】
したがって、室内照明灯２１によれば、光源が、所定の色度で発光するフィラメント４３と、このフィラメント４３を覆いフィラメント４３からの光を透過させる保護部材４５とからなり、保護部材４５とレンズ２９とが同色であるので、保護部材４５とレンズ２９が特定の波長分布を持った光を選択的に透過又は反射させるよう機能し、保護部材４５及びレンズ２９の色度を、所望の色度（例えば自然光）に対するフィラメント４３の色度と補色関係の色度とすることができる。
これにより、レンズ２９から出射される光Ｌを、所望の色度に色補正することが可能となる。また、同色を重ねることにより、高濃度の透過色を得ることができる。この結果、演色性が向上して、自然光下と同様の色表現が可能となり、例えば、室内照明灯２１での化粧が自然に行えるようになる。
【００２３】
なお、上記の実施の形態では、室内照明灯２１が天井トリム２３に設けられる場合を例に説明したが、本発明に係る室内照明灯は、図８に示したように、サンバイザ１に設けられるものであっても、上記の効果と同様の効果を奏するものである。
【図面の簡単な説明】
【００２４】
【図１】本発明に係る室内照明灯の断面図である。
【図２】図１に示した室内照明灯の要部拡大図である。
【図３】フィラメント光の色度を表す色度図である。
【図４】バニティミラーを備えたサンバイザの正面図である。
【図５】室内照明灯が設けられたフロントガラス寄り天井部の断面図である。
【図６】サンバイザの折りたたまれた天井部の断面図である。
【図７】カバーの設けられたサンバイザの正面図である。
【図８】室内照明灯を付設したサンバイザの斜視図である。
【図９】自然光とフィラメント光源からの出射光との分光分布図である。
【符号の説明】
【００２５】
２１  室内照明灯
２３  天井トリム（内装材）
２５  開口
２７  ハウジング
２９  レンズ
３１  意匠部
３３  バルブ（光源）
３５  機能部
４３  フィラメント
４５  保護部材
【図１】
2005238966.tif 000003
【図２】
2005238966.tif 000004
【図３】
2005238966.tif 000005
【図４】
2005238966.tif 000006
【図５】
2005238966.tif 000007
【図６】
2005238966.tif 000008
【図７】
2005238966.tif 000009
【図８】
2005238966.tif 000010
【図９】
2005238966.tif 000011